(57)【要約】【課題】内燃機関の潤滑オイル中に含まれる燃料をオイルの劣化を抑制して効率良く分離することができる内燃機関の油中希釈燃料分離装置を提供する。【解決手段】本油中希釈燃料分離装置２０は、潤滑オイルを貯留するオイル貯留部２１（オイルパン）と、オイル貯留部を第１室２１ａと第２室２１ｂとに仕切り可能及び連通可能に動作する仕切板２２と、内燃機関の被潤滑部のうちのピストン３を潤滑した潤滑オイルを第１室側に案内するオイル案内部２３（バッフルプレート）と、オイル案内部により案内される潤滑オイルを第１室側及び第２室側へ振り分け案内可能に動作する案内板２４と、第１室に貯留される潤滑オイルに含まれる燃料成分を分離する分離手段２５（ヒータ）と、を備え、第２室内には、第２室内の潤滑オイルを被潤滑部に供給するためのオイルポンプ１８ｂを有するオイル通路１８が配設されている。【選択図】図１
2010084536.tif 000002
【特許請求の範囲】
【請求項１】
内燃機関の潤滑オイルを貯留するオイル貯留部と、
前記オイル貯留部を第１室と第２室とに仕切り可能且つ前記第１室及び前記第２室を連通可能に動作する仕切板と、
前記内燃機関の本体内に設けられ且つ前記内燃機関の被潤滑部のうちのピストンを潤滑した潤滑オイルを前記第１室側に向かって案内するオイル案内部と、
前記オイル案内部により前記第１室側に向かって案内される前記潤滑オイルを該第１室側及び前記第２室側へ振り分け案内可能に動作する案内板と、
前記第１室に貯留される潤滑オイルに含まれる燃料成分を分離する分離手段と、を備え、
前記第２室内には、該第２室内の潤滑オイルを前記被潤滑部に供給するためのオイルポンプを有するオイル通路が配設されていることを特徴とする内燃機関の油中希釈燃料分離装置。
【請求項２】
前記第１室側に貯留された潤滑オイルを前記第２室側へ送るための送りポンプを有するオイル送り通路を更に備える請求項１記載の内燃機関の油中希釈燃料分離装置。
【請求項３】
前記オイル貯留部は、前記第１室を構成する底壁が前記第２室を構成する底壁より高位である段差状に形成され、且つ、該第１室側の底壁が該第２室側に向かって傾斜する請求項１記載の内燃機関の油中希釈燃料分離装置。
【請求項４】
前記分離手段は、燃料成分を気化させて分離するヒータである請求項１乃至３のいずれか一項に記載の内燃機関の油中希釈燃料分離装置。
【発明の詳細な説明】
【技術分野】
【０００１】
本発明は、内燃機関の油中希釈燃料分離装置に関し、さらに詳しくは、内燃機関の潤滑オイル中に含まれる燃料をオイルの劣化を抑制して効率良く分離することができる内燃機関の油中希釈燃料分離装置に関する。
【背景技術】
【０００２】
従来の内燃機関の油中希釈燃料分離装置として、潤滑オイルの燃料混入による希釈を抑制するために潤滑オイルを加熱してオイル中に含まれる燃料を気化分離するものが知られている（例えば、特許文献１及び２参照）。
上記特許文献１には、内燃機関のオイル回路の途中にオイルヒータを設け、このヒータによりオイル回路を流れる潤滑オイルを加熱して燃料を気化分離することが開示されている。
また、上記特許文献２には、オイルパンの底部にヒータを設け、このヒータによりオイルパン内の潤滑オイルを加熱して燃料を気化分離することが開示されている。
【０００３】
【特許文献１】特開２００４−１９０５１３号公報
【特許文献２】特開２００４−３４００５６号公報
【発明の開示】
【発明が解決しようとする課題】
【０００４】
しかし、上記特許文献１では、オイルパンとエンジンの被潤滑部とを連絡するオイル通路又はこのオイル通路に設けられたバイパス通路を通る比較的大量の潤滑オイルをヒータで加熱しているので、熱エネルギーロスが大きい。また、上記特許文献２では、オイルパン内の全オイルを加熱しているので、上述の問題が極めて顕著なものとなる。
【０００５】
本発明は、上記現状に鑑みてなされたものであり、内燃機関の潤滑オイル中に含まれる燃料をオイルの劣化を抑制して効率良く分離することができる内燃機関の油中希釈燃料分離装置を提供することを目的とする。
【課題を解決するための手段】
【０００６】
本発明は、以下の通りである。
１．内燃機関の潤滑オイルを貯留するオイル貯留部と、
前記オイル貯留部を第１室と第２室とに仕切り可能且つ前記第１室及び前記第２室を連通可能に動作する仕切板と、
前記内燃機関の本体内に設けられ且つ前記内燃機関の被潤滑部のうちのピストンを潤滑した潤滑オイルを前記第１室側に向かって案内するオイル案内部と、
前記オイル案内部により前記第１室側に向かって案内される前記潤滑オイルを、該第１室側及び前記第２室側へ振り分け案内可能に動作する案内板と、
前記第１室に貯留される潤滑オイルに含まれる燃料成分を分離する分離手段と、を備え、
前記第２室内には、該第２室内の潤滑オイルを前記被潤滑部に供給するためのオイルポンプを有するオイル通路が配設されていることを特徴とする内燃機関の油中希釈燃料分離装置。
２．前記第１室側に貯留された潤滑オイルを前記第２室側へ送るための送りポンプを有するオイル送り通路を更に備える上記１．記載の内燃機関の油中希釈燃料分離装置。
３．前記オイル貯留部は、前記第１室を構成する底壁が前記第２室を構成する底壁より高位である段差状に形成され、且つ、該第１室側の底壁が該第２室側に向かって傾斜する上記１．記載の内燃機関の油中希釈燃料分離装置。
４．前記分離手段は、燃料成分を気化させて分離するヒータである上記１．乃至上記３．のいずれかに記載の内燃機関の油中希釈燃料分離装置。
【発明の効果】
【０００７】
本発明の内燃機関の油中希釈燃料分離装置によると、オイル貯留部を第１室と第２室とに仕切り可能且つ第１室及び第２室を連通可能に動作する仕切板と、内燃機関の被潤滑部のうちのピストンを潤滑した潤滑オイルを第１室側に向かって案内するオイル案内部と、オイル案内部により第１室側に向かって案内される潤滑オイルを第１室側及び第２室側へ振り分け案内可能に動作する案内板と、第１室に貯留される潤滑オイルに含まれる燃料成分を分離する分離手段と、を備えている。これにより、内燃機関の被潤滑部であるピストンを潤滑した燃料成分の混入が比較的多い潤滑オイルのうち、燃料成分の混入が特に多い潤滑オイルを、オイル案内部及び案内板により第１室側に案内し、仕切板により仕切られたオイル貯留部の第１室側に貯留し、この状態で、分離手段により燃料成分を分離することができる。この結果、燃料が特に多く混入した潤滑オイルを選択的に第１室内に導入することができ、また、その燃料を特に多く含んだ潤滑オイルをオイル貯留部に貯留されている他の潤滑オイルと混合させることなく、隔離した状態で燃料分離することができ、従来のように燃料を多く含む、含まないに拘わらず潤滑オイルを非選択的に加熱して燃料を気化分離するものと比較して効率的に燃料を分離させることができる。また、燃料成分が分離された後は、仕切板により第１室と第２室とを連通させてオイル貯留部を一体とすることができるので、被潤滑部に供給可能な潤滑オイルの貯留量を、オイル貯留部に貯留されているすべての潤滑オイルとすることができる。この結果、効率的な燃料分離を実現しつつ、潤滑オイルの総貯留量は必要以上に多く確保しなくてもよい。
また、前記第１室側に貯留された潤滑オイルを前記第２室側へ送るための送りポンプを有するオイル送り通路を更に備える場合は、燃料成分が特に多く混入している潤滑オイルを第１室に導入する前に、第１室に貯留されている潤滑オイルを第２室側へ送ることができる。この結果、燃料成分の多い潤滑オイルと少ない潤滑オイルとを混合させることなく、燃料成分が比較的多く含まれている潤滑オイルのみを選択的に分離することができ、更に効率よく燃料を分離させることができる。
更に、前記オイル貯留部が、前記第１室を構成する底壁が前記第２室を構成する底壁より高位である段差状に形成され且つ該第１室側の底壁が該第２室側に向かって傾斜する場合は、ポンプ等を用いることなく、第１室及び第２室を仕切る仕切板を動作することにより、燃料成分が特に多く混入している潤滑オイルを第１室に導入する前に、第１室に貯留されている燃料成分の混入が比較的少ない潤滑オイルを第２室側へ流入させることができる。この結果、ポンプ等を用いることなく、燃料成分の多い潤滑オイルと少ない潤滑オイルとを混合させることなく、燃料成分が特に多く含まれている潤滑オイルのみを選択的に分離することができ、更に効率よく燃料を分離させることができる。
また、前記分離手段が、燃料成分を気化させて分離するヒータである場合は、簡易な構成の分離手段とすることができ、また、潤滑オイルのうちの燃料を特に多く含んだ潤滑オイルのみを選択的に加熱して燃料成分を気化させて分離するので、潤滑オイル全体を加熱する場合と比較して、加熱によって潤滑オイルが必要以上に劣化することを抑制することができる。
【発明を実施するための最良の形態】
【０００８】
本実施形態に係る内燃機関の油中希釈燃料分離装置は、以下に述べるオイル貯留部、仕切板、オイル案内部、案内板及び分離手段を備えている。
【０００９】
上記「オイル貯留部」は、内燃機関の潤滑オイルを貯留する限り、その構造、形状、材質等は特に問わない。上記オイル貯留部としては、例えば、内燃機関の本体の下部に設けられるオイルパン等を挙げることができる。
【００１０】
上記「仕切板」は、上記オイル貯留部を第１室と第２室とに仕切り可能且つ第１室及び第２室を連通可能に動作する限り、その形状、材質、仕切形態、動作形態等は特に問わない。この仕切板の材質としては、例えば、鉄、アルミニウム等の金属製、樹脂製等を挙げることができる。また、この仕切板の動作形態としては、例えば、駆動源により任意の回転軸を中心に回動可能に動作する形態（例えば、図１〜４等参照）、形状記憶合金とばねとの組み合わせにより温度変化に伴って伸縮する形態等が挙げられる。
【００１１】
上記第２室内には、第２室内の潤滑オイルを内燃機関の被潤滑部に供給するためのオイルポンプを有するオイル通路が配設されている。
上記オイル貯留部がオイルパンである場合には、通常、オイル通路の一端側にはオイルストレーナが設けられ、このオイルストレーナがオイルパン内に配置されている。
【００１２】
上記オイル通路としては、例えば、配管、内燃機関の本体又は機構部に形成された通路、空間等のうちの１種又は２種以上の組み合わせを挙げることができる。
上記オイルポンプとしては、例えば、トロコイド式、内接ギヤ式、外接ギヤ式、インナギヤ式等を挙げることができる。このオイルポンプは、例えば、内燃機関の駆動力により作動されたり、内燃機関とは別の駆動源により作動されたりできる。
【００１３】
ここで、例えば、上記第１室のオイル貯留容積は、第２室のオイル貯留容積より小さいことができる。この第１室のオイル貯留容積Ｃ１と第２室のオイル貯留容積Ｃ２との比（Ｃ１／Ｃ２）が０．２〜０．５（特に０．２５〜０．３）であることが好ましい。第１室内で比較的少量の潤滑オイル中の燃料をより効率良く分離できると共に、仕切板により仕切られた状態であっても、第２室内により大量の潤滑オイルを確保できるためである。
【００１４】
上記「オイル案内部」は、上記内燃機関の被潤滑部であるピストンを潤滑した潤滑オイルを上記第１室側に向かって案内する限り、その構造、形状、材質等は特に問わない。
また、上記オイル案内部と共に、上記内燃機関の本体内には、（１）エンジンのシリンダブロックに形成され且つクランク室とヘッドカバー内とを連絡する連絡路を通ってオイル貯留部内に戻される潤滑オイルを第２室側のオイル貯留部に案内する他のオイル案内部が設けられていたり、（２）エンジンのチェーンケース又はベルトケースを通ってオイル貯留部内に戻される潤滑オイルを第２室側のオイル貯留部に案内する他のオイル案内部が設けられていたりすることができる。これにより、他のオイル案内部により燃料が殆ど混入してしない潤滑オイルが第２室側に案内されて導入でき、第１室での潤滑オイル中の燃料の分離効率をより向上させることができる。分離効率の更なる向上といった観点から、上記（１）（２）形態の組み合わせであることが好ましい。
【００１５】
上記（１）（２）形態では、例えば、（ａ）上記第２室が、エンジンのシリンダブロックに形成され且つクランク室とヘッドカバー内とを連絡する連絡路の直下に配置されていたり、（ｂ）上記第２室が、エンジンのチェーンケース又はベルトケースの直下に配置されていたりすることができる。これにより、燃料が殆ど混入してしない潤滑オイルを第２室内に落下させて導入でき、第１室内での潤滑オイル中の燃料の分離効率をより向上させることができる。分離効率の更なる向上といった観点から、上記（ａ）（ｂ）形態の組み合わせであることが好ましい。
【００１６】
上記「案内板」は、上記オイル案内部により上記第１室側に向かって案内される上記潤滑オイルを上記第１室側及び上記第２室側へ振り分け案内可能に動作する限り、その形状、材質、仕切形態、動作形態等は特に問わない。案内板の材質としては、例えば、鉄、アルミニウム等の金属製、樹脂製等を挙げることができる。また、この案内板の動作形態としては、例えば、駆動源により任意の回転軸を中心に回動可能に動作する形態（例えば、図３等参照）等が挙げられる。
【００１７】
上記「分離手段」は、上記潤滑オイルに含まれる燃料成分を分離する限り、その構造、分離形態等は特に問わない。この分離手段は、例えば、上記オイル貯留部内、クランク室内等の空間等、内燃機関の内側に設けられていたり、内燃機関の外側に設けられていたりすることができる。
上記分離形態としては、例えば、（１）潤滑オイルと燃料との沸点の違いを利用する形態（加熱による気化分離等）、（２）潤滑オイルと燃料との比重の違いを利用する形態（遠心分離等）等を挙げることができる。また、これら（１）及び（２）を組み合わせるようにしてもよい。
【００１８】
上記（１）形態の分離手段としては、例えば、潤滑オイルを加熱して燃料を気化分離するヒータ等を備える分離手段を挙げることができる。上記（２）形態の分離手段としては、例えば、筒状の分離器本体内に導入した潤滑オイルを旋回させることにより燃料成分をその軸心側へ集約して分離する遠心分離器等を挙げることができる。
【００１９】
ここで、本実施形態に係る内燃機関の油中希釈燃料分離装置は、以下に述べるオイル送り通路を更に備えることができる（例えば、図３等参照）。
上記「オイル送り通路」は、上記第１室側に貯留された潤滑オイルを上記第２室側へ送るための送りポンプを有する限り、その構造、配設形態等は特に問わない。
上記オイル送り通路としては、例えば、配管、内燃機関の本体又は機構部に形成された通路、空間等のうちの１種又は２種以上の組み合わせを挙げることができる。
上記送りポンプとしては、例えば、トロコイド式、内接ギヤ式、外接ギヤ式、インナギヤ式等を挙げることができる。このオイルポンプは、例えば、内燃機関の駆動力により作動されたり、内燃機関とは別の駆動源により作動されたりできる。
【００２０】
ここで、本実施形態に係る内燃機関の油中希釈燃料分離装置は、上記オイル貯留部は、上記第１室を構成する底壁が上記第２室を構成する底壁より高位である段差状に形成され、且つ、上記第１室側の底壁が上記第２室側に向かって傾斜することができる（例えば、図４等参照）。これにより、燃料成分が比較的多く混入している潤滑オイルを第１室に導入する前に、第１室に貯留されている燃料成分の混入が比較的少ない潤滑オイルを第２室側へ流入させ、燃料成分の多い潤滑オイルと少ない潤滑オイルとを混合させることなく、燃料成分が比較的多く含まれている潤滑オイルのみを選択的に分離することができるからである。
【００２１】
尚、上記「内燃機関の被潤滑部」としては、上記ピストン以外に、例えば、クランクシャフト、コネクティングロッド、カムシャフト、駆動系等を挙げることができる。これらのうち、クランクシャフト、コネクティングロッド、ピストン等を潤滑してオイル貯留部に戻される潤滑オイル中には、ピストンの気筒内壁面の隙間から漏れる比較的多くの燃料が混入している。一方、カムシャフト、駆動系等を循環してオイル貯留部に戻される潤滑オイル中には殆ど燃料が混入していない。また、ピストン周りを潤滑する潤滑オイルは、通常、ピストンと気筒との隙間を介してオイル貯留部内に戻される。一方、ヘッド周りを潤滑する潤滑オイルは、通常、エンジンのシリンダブロック及びシリンダヘッドに形成されクランク室とヘッドカバー内の空間とを連絡する連絡路を介してオイル貯留部内に戻されたり、エンジンのチェーンケース又はベルトケースを介してオイル貯留部内に戻されたりする。
【実施例】
【００２２】
以下、図面を用いて実施例により本発明を具体的に説明する。
（１）エンジンの構成
本実施例１に係るエンジン１は、図１に示すように、気筒２が形成されたシリンダブロック１ａと、このシリンダブロック１ａの上部に固定されたシリンダヘッド１ｂとを備えている。このシリンダブロック１ａの気筒２内には、ピストン３が往復動自在に支持されている。また、シリンダブロック１ａの下部には、クランクシャフト４を回転自在に支持してなるクランクケース１ｃが固定されている。このクランクシャフト４は、コネクティングロッド５を介してピストン３に連結されている。このピストン３の上方には、ピストン３の頂面とシリンダヘッド１ｂの壁面と気筒２の壁面とに囲まれた燃焼室６が形成されている。
【００２３】
上記シリンダヘッド１ｂには、その一端側が吸気管７ａに接続され且つその他端側が燃焼室６に接続される吸気ポート８ａと、その一端側が排気管７ｂに接続され且つその他端側が燃焼室６に接続される排気ポート８ｂと、が形成されている。また、シリンダヘッド１ｂには、吸気ポート８ａを開閉する吸気弁９ａ及び排気ポート８ｂを開閉する排気弁９ｂが設けられると共に、これら吸気弁９ａ及び排気弁９ｂを駆動するカムシャフト１０ａ，１０ｂがそれぞれ回転自在に支持されている。さらに、シリンダヘッド１ｂの上部には、上記動弁機構を覆うシリンダヘッドカバー１ｄが取り付けられている。上記吸気管７ａの一端側は、エアクリーナボックス１１に接続されている。この吸気管７ａの途中には、吸気管７ａ内を流れる吸気量を調整するスロットルバルブ１２が設けられている。
【００２４】
上記シリンダヘッドカバー１ｄ内の空間１３には、その一端側が吸気管７ａのスロットルバルブ１２の下流側に接続された第１還流路１５の他端側がＰＣＶバルブ１５ａを介して接続されている。また、シリンダヘッドカバー１ｄ内の空間１３には、その一端側が吸気管７ａのスロットルバルブ１２の上流側に接続された第２還流路１６の他端側が接続されている。
【００２５】
上記クランクケース１ｃの下部には、潤滑オイルを貯留するオイルパン２１（本発明に係る「オイル貯留部」として例示する。）が取り付けられている。このオイルパン２１とエンジン１の被潤滑部とは、オイル通路１８を含むオイル循環経路（図示省略）を介して連絡されている。
【００２６】
（２）油中希釈燃料分離装置の構成
本実施例１に係る油中希釈燃料分離装置２０は、図１に示すように、潤滑オイルを貯留するオイルパン２１を備えている。このオイルパン２１には、クランクシャフト４の軸方向と平行な直線方向に沿って延びる板状の仕切板２２が設けられている。この仕切板２２により、オイルパン２１内は第１室２１ａと第２室２１ｂとに仕切られている。また、仕切板２２は、図示しない駆動源により、その上端側の回転軸Ａを中心として、第１室２１ａと第２室２１ｂとを連通可能に回動する。
【００２７】
また、オイルパン２１の第２室２１ｂ側には、上記オイル通路１８の一端側に設けられたオイルストレーナ１８ａが配置される。このオイル通路１８の途中には、オイルパン２１内の潤滑オイルをエンジン１の被潤滑部に供給するためのオイルポンプ１８ｂが設けられている。また、第２室２１ｂは、エンジン１のシリンダブロック１ａ及びシリンダヘッド１ｂに形成され且つクランク室１４とシリンダヘッドカバー１ｄ内の空間１３とを連絡する連絡路１７の直下に配置されている。
【００２８】
上記クランクケース１ｃの下部であってオイルパン２１の上部には、ピストン３と気筒２との隙間を通ってオイルパン２１に戻される潤滑オイルを第１室２１ａ側に案内する板状のバッフルプレート２３（本発明に係るオイル案内部として例示する）が設けられている。また、バッフルプレート２３の潤滑オイルを案内する方向の端部側には、案内板２４が設けられている。案内板２４は、図示しない駆動源により、仕切板２２と同じ回転軸Ａを中心として回動し、バッフルプレート２３により案内される潤滑オイルを第１室２１ａ側及び第２室２１ｂ側に振り分け案内可能である。
【００２９】
また、仕切板２２によりオイルパン２１が第１室２１ａと第２室２１ｂとに仕切られた状態で、第１室２１ａのオイル貯留容積Ｃ１は約１．２ｌに設定されており、第２室２１ｂのオイル貯留容積Ｃ２は約４ｌに設定されている。したがって、第１室２１ａのオイル貯留容積Ｃ１と第２室２１ｂのオイル貯留容積Ｃ２との比（Ｃ１／Ｃ２）が０．３とされている。
オイルパン２１の第１室２１ａに対応する底壁及び側壁の一部には、ヒータ２５（本発明に係る分離手段として例示する。）が設けられている。
【００３０】
（３）油中希釈燃料分離装置の作用
次に、上記構成の油中希釈燃料分離装置２０の作用について説明する。本実施例では、寒冷始動時や、油温が上昇しきっていない低油温運転時（油温４０℃程度）、筒内噴射型のエンジンにおいてポスト噴射やパイロット噴射等の副噴射が行われている場合等、ピストン３を潤滑した潤滑オイルの燃料希釈率が特に高い運転状態の時に、その潤滑オイルを選択的に燃料分離する例を説明する。尚、上記のような、ピストン３を潤滑した潤滑オイルの燃料希釈率が特に高い運転状態であるか否かは、エンジンを制御するＥＣＵ等の情報を参照して判別することができる。
【００３１】
最初に、図２（ａ）に示すように、仕切板２２の下端が少し開けて第１室２１ａ及び第２室２１ｂを連通させた状態にする。この状態で、燃料成分の混入比率が特に高い潤滑オイルを第１室２１ａ側に導入する。即ち、案内板２４を潤滑オイルが第１室２１ａに案内される位置に回動させ、ピストン３を潤滑した燃料希釈率が特に高い潤滑オイルを第１室２１ａへ案内して貯留する。このようにして、第１室２１ａ側に貯留されていた潤滑オイルを第２室２１ｂ側に排出させるようにする。
第１室２１ａ側の潤滑オイルの入れ替えが十分に行われたら、図２（ｂ）に示すように、仕切板２２を完全に閉じて第１室２１ａと第２室２１ｂとを仕切る。第１室２１ａに貯留された潤滑オイルは、仕切板２２により第２室から仕切られた状態で、ヒータ２５により加熱され、燃料成分が気化分離される。
【００３２】
また、エンジン１の運転によりピストン３及び気筒２がある程度昇温され、ピストン３を潤滑してバッフルプレート２３に落下してくる潤滑オイルに含まれる燃料成分が比較的少なくなったら、図２（ｃ）に示すように、案内板２４を回動させて、潤滑オイルを第２室２１ｂに案内するようにする。一方、第１室２１ａ内の潤滑オイルは、この間もヒータ２５により加熱され続け、燃料分離されている。
第１室２１ａの潤滑オイルから燃料成分が十分に分離されたら、図２（ｄ）に示すように、仕切板２２を回動させて第１室２１ａ及び第２室２１ｂを連通させ、第１室２１ａ側の潤滑オイルと第２室２１ｂ側の潤滑オイルを一体化する。
【００３３】
尚、気化された燃料は、ブローバイガスに混じって、連絡路１７を介してクランク室１４からシリンダヘッドカバー１ｄ内の空間１３に送られる。そのブローバイガスは、エンジン１の低負荷運転状態（スロットルバルブの開度が小さな運転状態）では第１還流路１５を介して吸気管７ａに還流され、エンジン１の高負荷運転状態（スロットルバルブの開度が大きな運転状態）では第１還流路１５に加えて第２還流路１６を介して吸気管７ａに還流される。
また、エンジン１の低負荷運転状態では、第２還流路１６を介して吸気管７ａのスロットルバルブ１２の上流を流れる新気がシリンダヘッドカバー１ｄ内の空間１３に吸い込まれ、その空間１３内のブローバイガスが換気されることとなる。
【００３４】
（４）実施例の効果
以上より、本実施例では、エンジン１の被潤滑部であるピストン３を潤滑した潤滑オイルであって、燃料成分による希釈度が特に高い潤滑オイルは、バッフルプレート２３上に落下して第１室２１ａ側に案内され、案内板２４により第１室２１ａ側に案内され、仕切板により仕切られた第１室２１ａに貯留されて燃料分離される。このように、燃料成分の混入比率が特に高い潤滑オイルを選択的に第１室２１ａに導入し、他の潤滑オイルから隔離した状態で燃料分離を行うようにしたので、従来のように燃料を多く含む、含まないに拘わらず潤滑オイルを非選択的に加熱して燃料を気化分離するものと比較して効率的に燃料を分離させることができる。
【００３５】
また、燃料成分が分離された後は、仕切板２２を回動させて第１室と第２室とを連通させ、オイルパン２１を一体とすることができるので、被潤滑部に供給可能な潤滑オイルの貯留量を、オイルパン２１に貯留されているすべての潤滑オイルとすることができる。これにより、効率的な燃料分離を実現しつつ、潤滑オイルの総貯留量は必要以上に多く確保しなくてもよい。また、燃料混合比率が特に高い潤滑オイルを第１室２１ａに導入する際、仕切板２２を半開状態にして第１室２１ａ側に貯留されている潤滑オイルを第２室２１ｂ側へ排出するようにして、燃料混合比率の高い潤滑オイルをより多く第１室２１ａに導入するようにしたので、より効率的な燃料分離を行うことができる。
【００３６】
更に、分離手段としてヒータ２５を用いるようにしたので、簡易な構成の油中希釈燃料分離装置とすることができる。更に、潤滑オイルのうちの燃料を特に多く含んだ潤滑オイルのみを選択的に加熱して燃料成分を気化させて分離するようにしたので、潤滑オイル全体を加熱する場合と比較して、加熱によって潤滑オイルが必要以上に劣化することを抑制することができる。
【００３７】
また、本実施例では、第２室２１ｂ内には、ピストン３を潤滑した潤滑オイルのうち、燃料を特に多く含んでいる潤滑オイルが直接流入しないようにしたので、被潤滑部に供給される潤滑オイルを燃料希釈による粘度低下率の小さい潤滑オイルとすることができ、被潤滑部の潤滑不良を防止することができる。
【００３８】
更に、本実施例では、第１室２１ａのオイル貯留容積を第２室２１ｂのオイル貯留容積より小さくしたので、第１室２１ａに貯留される潤滑オイル、即ち、加熱されるために貯留される潤滑オイルの貯留量を比較的少量とすることができると共に、第２室２１ｂに貯留される、被潤滑部に供給可能な潤滑オイルの貯留量は比較的多量とすることができる。その結果、効率的な燃料分離を実現しつつ、潤滑オイルの総貯留量は必要以上に多く確保しなくてもよい。
【００３９】
尚、本発明においては、上記実施例に限られず、目的、用途に応じて本発明の範囲内で種々変更した実施例とすることができる。即ち、上記実施例では、分離手段として、潤滑オイルを加熱して燃料を気化分離するヒータ２５を用いるようにしたが、これに限定されず、例えば、筒状の分離基本体内に導入した潤滑オイルを旋回させることにより燃料成分をその軸心側に集約して分離する等の遠心分離式の分離手段としてもよい。
【００４０】
また、上記実施例では、第１室２１ａに燃料混合率の特に高い潤滑オイルを導入する際、仕切板２２を半開状態にして導入し、第１室側に貯留されている潤滑オイルを排出するようにしたが、これに限定されず、例えば、ポンプ等を用いて、第１室２１ａ側に燃料成分の混入比率が特に高い潤滑オイルを導入する前に、第１室２１ａに貯留されている潤滑オイルを第２室２１ｂ側へ送るようにしてもよい。即ち、例えば、図３に示すように、第１室２１ａと第２室２１ｂとを連絡するオイル送り通路２６を設け、オイルパン２１の第１室２１ａ側にオイル送り通路２６の一端側に設けられたオイル吸込口２６ａ配置し、送りポンプ２６ｂを介して潤滑オイルを第２室２１ｂ側へ送るようにしてもよい。これにより、第１室２１ａにて燃料分離される潤滑オイルを、より燃料混入率の高い潤滑オイルとすることができ、より一層分離効率を向上させることができる。
【００４１】
更に、上記実施例では、オイルパン２１の底壁の全面を同じ高さにするようにしたが、これに限定されず、例えば、図４に示すように、第１室２１ａ側の底壁を第２室２１ｂ側の底壁と比較して高い位置に設けるようにし、且つ、第１室２１ａ側の底壁が第２室２１ｂ側に向かって傾斜するように設けてもよい。これによると、仕切板２２を回動させて第１室２１ａと第２室２１ｂとを連通させた際に、第１室２１ａ側に貯留されている潤滑オイルを第２室２１ｂに自然流入させることができるので、燃料成分が特に多く混入している潤滑オイルのみを第１室２１ａに導入して燃料分離を行うことができ、分離効率をより一層向上させることができる。
【００４２】
また、上記実施例では、仕切板２２を回動させるようにしたが、これに限定されず、例えば、形状記憶合金とばねとの組み合わせにより伸縮する仕切板及び案内板を用いるようにしてもよい。これにより、駆動源等を用いて回動させることなく、エンジン１の運転により潤滑オイルの温度が上昇し、燃料成分が自然に気化できる状態になった場合に、駆動源等を用いることなく、潤滑オイルの温度により仕切板が縮小して第１室２１ａ及び第２室２１ｂが連通するようにできる。
【産業上の利用可能性】
【００４３】
内燃機関の潤滑オイル中に含まれる希釈燃料を分離する技術として広く利用される。
【図面の簡単な説明】
【００４４】
【図１】実施例に係る油中希釈燃料分離装置を示す説明図である。
【図２】実施例に係る油中希釈燃料分離装置を作用をそれぞれ説明する説明図であり、（ａ）は仕切板が半開状態で第１室及び第２室が連通している状態且つ案内板が潤滑オイルを第１室へ案内可能な状態、（ｂ）は仕切板がオイル貯留部を第１室及び第２室に仕切っている状態且つ案内板が潤滑オイルを第１室へ案内可能な状態、（ｃ）は仕切板がオイル貯留部を第１室及び第２室に仕切っている状態且つ案内板が潤滑オイルを第２室へ案内可能な状態、（ｄ）は仕切板が全開状態で第１室及び第２室が連通している状態且つ案内板が潤滑オイルを第２室へ案内可能な状態をそれぞれ示す。
【図３】他の形態の油中希釈燃料分離装置を示す説明図である。
【図４】更に他の形態の油中希釈燃料分離装置を示す説明図である。
【符号の説明】
【００４５】
１；エンジン、１ａ；シリンダブロック、１ｂ；シリンダヘッド、１ｃ；クランクケース、１ｄ；シリンダヘッドカバー、２；気筒、３；ピストン、４；クランクシャフト、５；コネクティングロッド、６；燃焼室、７ａ；吸気管、７ｂ；排気管、８ａ；吸気ポート、８ｂ；排気ポート、９ａ；吸気弁、９ｂ；排気弁、１０ａ，１０ｂ；カムシャフト、１１；エアクリーナボックス、１２；スロットルバルブ、１３；空間、１４；クランク室、１５；第１還流路、１５ａ；ＰＣＶバルブ、１６；第２還流路、１７；連絡路、１８；オイル通路、１８ａ；オイルストレーナ、１８ｂ；オイルポンプ、２０；油中希釈燃料分離装置、２１；オイルパン、２１ａ；第１室、２１ｂ；第２室、２２；仕切板、２３；バッフルプレート、２４；案内板、２５；ヒータ、２６；オイル送り通路、２６ａ；オイル吸込口、２６ｂ；送りポンプ、Ａ；回転軸。
【図１】
2010084536.tif 000003
【図２】
2010084536.tif 000004
【図３】
2010084536.tif 000005
【図４】
2010084536.tif 000006